(57)【要約】【課題】照明器具と建材が同化し、意匠的にすっきりした空間を実現可能な照明器具を提供する。【解決手段】照明器具１０は、収容穴２１が形成された第１透光性パネル１１と、第１透光性パネルの内面１１ｂに向けて投光可能に収容穴に収容されたＬＥＤ光源１２と、ＬＥＤ光源から投光された光２６を配光するように収容穴に収容された配光レンズ１４と、第１透光性パネルの外面１１ａに沿って配置されてＬＥＤ光源を電源１５に接続する配線パターン１６と、配線パターンを覆うとともに収容穴を覆うために第１透光性パネルの外面に設けられた第２透光性パネル１８とを備えている。【選択図】図１
2012003974.tif 000002
【特許請求の範囲】
【請求項１】
壁窓、天窓等の窓に設置され、面方向に対して直交する方向に収容穴が形成された第１透光性パネルと、
前記第１透光性パネルの一方の面に向けて投光可能に前記収容穴に収容されることで前記第１透光性パネルに内蔵された光源と、
前記光源から投光された光を配光するように前記収容穴に収容されることで前記第１透光性パネルに内蔵された配光レンズと、
前記配光レンズの反対側に位置する前記第１透光性パネルの他方の面に沿って配置され、前記光源を電源に接続する配線パターンと、
前記配線パターンを覆うとともに前記収容穴を覆うために前記第１透光性パネルの前記他方の面に設けられた第２透光性パネルと、
を備えた照明器具。
【請求項２】
請求項１に記載の照明器具であって、
前記第１透光性パネルの前記一方の面側の空間の明るさに応じて前記光源の点灯を司る明るさ制御手段を備えた照明器具。
【請求項３】
請求項１または請求項２に記載の照明器具であって、
前記第１透光性パネルの前記他方の面側に設けられた太陽光発電パネルと、
前記太陽光発電パネルで得られた電気を充電する充電部と、
を備えた照明器具。
【発明の詳細な説明】
【技術分野】
【０００１】
本発明は、壁窓・天窓等の窓に透光性パネルが設置され、透光性パネルに光源が備えられた照明器具に関するものである。
【背景技術】
【０００２】
通常のトップライト建築では、開口部、窓やパネル等が連続する場合に各々の仕切り材（マリオン）等に照明器具として発光ダイオード（ＬＥＤ光源）が設けられ、このＬＥＤ光源は建材（板ガラス、パネル）と別構成になっている（例えば、特許文献１参照）。
ここで、板ガラスやパネル等のなかには、意匠的な用途向けにＬＥＤ光源を内蔵した照明器具が知られている。しかし、意匠的な用途向けにＬＥＤ光源を内蔵した板ガラスやパネル等はＬＥＤ光源から投光された光を配光するレンズ等が備えられていない。
【先行技術文献】
【特許文献】
【０００３】
【特許文献１】特開２００７−２２４６７３号公報（図１）
【発明の概要】
【発明が解決しようとする課題】
【０００４】
特許文献１の照明器具は、建材（板ガラス、パネル）とは別部材のマリオン等にＬＥＤ光源を設けることで、板ガラスやパネル等の建材の下側にＬＥＤ光源が突出して設けられている。
このため、外観性（すなわち、意匠性）の観点や、建材下側の空間確保の観点から改良の余地が残されていた。
【０００５】
本発明は、前述した課題を解決するためになされたものであり、その目的は、照明器具と建材が同化し、意匠的にすっきりした空間を実現可能な照明器具を提供することにある。
【課題を解決するための手段】
【０００６】
本発明は、壁窓・天窓等の窓に設置され、面方向に対して直交する方向に収容穴が形成された第１透光性パネルと、第１透光性パネルの一方の面に向けて投光可能に収容穴に収容されることにより第１透光性パネルに内蔵された光源と、光源から投光された光を配光するように収容穴に収容されることにより第１透光性パネルに内蔵された配光レンズと、配光レンズの反対側に位置する第１透光性パネルの他方の面に沿って配置され、光源を電源に接続する配線パターンと、配線パターンを覆うとともに収容穴を覆うために第１透光性パネルの一方の面に設けられた第２透光性パネルと、を備えた。
【０００７】
また、本発明は、第１透光性パネルの一方の面側の空間の明るさに応じて光源の点灯を司る明るさ制御手段を備えた。
【０００８】
さらに、本発明は、第１透光性パネルの他方の面側に設けられた太陽光発電パネルと、太陽光発電パネルで得られた電気を充電する充電部と、を備えた。
【発明の効果】
【０００９】
本発明の照明器具によれば、ガラス建築等の建材となる第１，第２の透光性パネルに光源および配光レンズを内蔵させることで建材に照明器具を同化せしめて意匠的にすっきりした空間を実現できるという効果を有する。
【図面の簡単な説明】
【００１０】
【図１】本発明に係る第１実施形態の照明器具を示す断面図
【図２】図１の照明器具の光源で室内を明るくする例を示す断面図
【図３】本発明に係る第２実施形態の照明器具を示す断面図
【図４】図３の照明器具の明るさセンサで室内を明るくする例を示す断面図
【図５】本発明に係る第３実施形態の照明器具を示す断面図
【図６】図５の照明器具の太陽光発電パネルで得た電気を利用して室内を明るくする例を示す断面図
【発明を実施するための形態】
【００１１】
以下、本発明の複数の実施形態に係る照明器具について図面を参照して説明する。
【００１２】
（第１実施形態）
図１に示すように、本発明の第１実施形態である照明器具１０は、壁窓・天窓等の窓に設置された第１透光性パネル１１と、第１透光性パネル１１に内蔵された複数のＬＥＤ光源（光源）１２と、第１透光性パネル１１に複数のＬＥＤ光源とともに内蔵された複数の配光レンズ１４と、複数のＬＥＤ光源１２を電源ユニット（電源）１５に接続する配線パターン１６と、配線パターン１６を覆う第２透光性パネル１８とを備えている。
【００１３】
第１透光性パネル１１は、高耐熱、高熱伝導性や高透光性を有する板ガラス（建材）であり、壁窓・天窓等の窓に設置されている。
この第１透光性パネル１１は、外面（他方の面）１１ａや内面（一方の面）１１ｂの面方向に対して直交する方向を向くように複数の収容穴２１が形成（貫通）されている。収容穴２１にＬＥＤ光源１２が収容されている。
【００１４】
ＬＥＤ光源１２は、第１透光性パネル１１の収容穴２１において第１透光性パネル１１の外面１１ａ側に収容され、さらに、投光部１３が第１透光性パネル１１の内面１１ｂ側に向けて配置されている。
ここで、第１透光性パネル１１の外面１１ａは外界２３に対向する面である。
また、第１透光性パネル１１の内面１１ｂは室内２４に対向する面である。
【００１５】
ＬＥＤ光源１２を第１透光性パネル１１の収容穴２１に収容することで、ＬＥＤ光源１２を第１透光性パネル１１に内蔵することができる。
また、ＬＥＤ光源１２の投光部１３を第１透光性パネル１１の内面１１ｂ側に向けて配置することでＬＥＤ光源１２の投光部１３から発光した光２６（図２参照）を第１透光性パネルの内面１１ｂに向けて投光することができる。
【００１６】
配光レンズ１４は、第１透光性パネル１１の収容穴２１において第１透光性パネル１１の内面１１ｂ側に収容されることで第１透光性パネル１１に内蔵されている。
第１透光性パネル１１の内面１１ｂ側に配光レンズ１４を収容することで、ＬＥＤ光源１２から投光された光２６（図２参照）を配光レンズ１４で配光することができる。
配光レンズ１４で配光した光２６は室内２４に投光される。
【００１７】
配線パターン１６は、複数のＬＥＤ光源１２を電源ユニット（電源）１５に接続するパターンであり、第１透光性パネル１１の外面１１ａ（配光レンズ１４の反対側に位置する面）に沿って配置されている。
電源ユニット１５は、複数のＬＥＤ光源１２に電気（電力）を給電するユニットである。
【００１８】
第２透光性パネル１８は、第１透光性パネル１１の外面１１ａに設けられ、配線パターン１６を覆うとともに複数の収容穴２１を覆うパネルである。
この第２透光性パネル１８は、高耐熱、高熱伝導性や高透光性を有する板ガラス（建材）である。
第２透光性パネル１８で配線パターン１６を覆うとともに複数の収容穴２１を覆うことで複数のＬＥＤ光源１２、複数の配光レンズ１４および配線パターン１６を第１，第２の透光性パネル１１，１８に好適に内蔵することができる。
【００１９】
このように、第１，第２の透光性パネル１１，１８に複数のＬＥＤ光源１２および複数の配光レンズ１４を内蔵させることで、ガラス建築等の建材（すなわち、第１，第２の透光性パネル）１１，１８に照明器具１０を同化させることができる。
このように、ガラス建築等の建材（第１，第２の透光性パネル）１１，１８に照明器具１０を同化させることで、見た目にすっきりした空間を室内２４に確保することができる。
【００２０】
つぎに、照明器具１０に備えた第１，第２の透光性パネル１１，１８で太陽光３１を活用して室内２４を明るくする例を図１に基づいて説明する。
第１，第２の透光性パネル１１，１８は透光性を有するパネルである。よって、第１，第２の透光性パネル１１，１８は、外界２３の太陽光３１を透過させることが可能である。
【００２１】
よって、晴天時の日中において、太陽光３１が第１，第２の透光性パネル１１，１８を透過することで室内２４を明るくできる。
すなわち、晴天時の日中においては、外界２３の太陽光３１を活用して室内２４を明るくすることができる。
【００２２】
ついで、照明器具１０のＬＥＤ光源１２を点灯して室内２４を明るくする例を図２に基づいて説明する。
夜間において、電源ユニット１５からＬＥＤ光源１２に電気を給電することでＬＥＤ光源１２の投光部１３が発光する。
ＬＥＤ光源１２から発光された光２６が配光レンズ１４で配光されて室内２４に投光され、室内２４に投光せしめた光２６で室内２４を明るくできる。
すなわち、夜間においては、第１，第２の透光性パネル１１，１８に内蔵したＬＥＤ光源１２を点灯して室内２４を明るくすることができる。
【００２３】
このように、第１実施形態の照明器具１０によれば、日中は太陽光３１を活用して室内２４を明るくし、夜間はＬＥＤ光源１２を点灯して室内２４を明るくすることで高い省エネ性を実現できる。
【００２４】
つぎに、第２，第３の実施形態の照明器具を図３〜図６に基づいて説明する。なお、第２，第３の実施形態において第１実施形態の照明器具と同じ構成部材については同じ符号を付して説明を省略する。
【００２５】
（第２実施形態）
図３に示すように、本発明の第２実施形態の照明器具４０は、第１実施形態の照明器具１０に明るさ制御手段４２を備えたもので、その他の構成は第１実施形態の照明器具１０と同じである。
明るさ制御手段４２は、第１透光性パネル１１の内面１１ｂに設けられて室内２４の明るさ（照度）を検知する明るさセンサ４３と、明るさセンサ４３からの照度信号に基づいてＬＥＤ光源１２の点灯を司る（制御する）制御部４４とを備えている。
【００２６】
明るさ制御手段４２によれば、明るさセンサ４３で検知した室内２４の明るさが、予め設定したしきい値以上の場合に、制御部４４によりＬＥＤ光源１２を消灯させることができる。
一方、明るさセンサ４３で検知した室内２４の明るさが、予め設定したしきい値未満の場合に、制御部４４からの点灯信号でＬＥＤ光源１２を点灯／調光させることができる。
【００２７】
つぎに、照明器具４０に備えた第１，第２の透光性パネル１１，１８で太陽光３１を活用して室内２４を明るくする例を図３に基づいて説明する。
晴天時の日中においては、第２実施形態の照明器具１０と同様に、外界２３の太陽光３１が第１，第２の透光性パネル１１，１８を透過することで室内２４を明るくできる。
【００２８】
よって、明るさセンサ４３で検知した室内２４の明るさが、予め設定したしきい値以上になり、制御部４４によりＬＥＤ光源１２を消灯させることができる。
すなわち、晴天時の日中においては、ＬＥＤ光源１２を点灯させないで太陽光３１を活用して室内２４を明るくすることができる。
【００２９】
ついで、照明器具１０のＬＥＤ光源１２を点灯して室内２４を明るくする例を図４に基づいて説明する。
曇天時の日中において、明るさセンサ４３で検知した室内２４の明るさが、予め設定したしきい値未満になり、制御部４４からの点灯信号でＬＥＤ光源１２を点灯／調光させることができる。
【００３０】
ＬＥＤ光源１２から発光された光２６が配光レンズ１４で配光されて室内２４に投光され、室内２４に投光せしめた光２６で室内２４を明るくできる。
なお、夜間においても曇天時の日中と同様に、制御部４４からの点灯信号でＬＥＤ光源１２を点灯／調光させることで室内２４を明るくできる。
【００３１】
このように、第２実施形態の照明器具４０によれば、明るさセンサ４３で室内２４の明るさに応じてＬＥＤ光源１２の点灯／調光を司ることで、曇天時や夜間等において、必要な明るさになるようにＬＥＤ光源１２を自動で点灯／調光することができる。
さらに、第２実施形態の照明器具４０によれば、第１実施形態と同様の効果を得ることができる。
【００３２】
（第３実施形態）
図５に示すように、本発明の第３実施形態の照明器具５０は、第１実施形態の照明器具１０に複数の太陽光発電パネル５２および充電部５３を備えたもので、その他の構成は第１実施形態の照明器具１０と同じである。
【００３３】
太陽光発電パネル５２は、第１透光性パネル１１の外面１１ａ側に設けられ、太陽光３１を受けて電気を発生させるパネルである。
この太陽光発電パネル５２は、第１透光性パネル１１の外面１１ａ側に複数個設けられている。
【００３４】
充電部５３は、複数の太陽光発電パネル５２に充電配線パターン５４で接続されることで、複数の太陽光発電パネル５２で得られた電気を充電することができる。
太陽光発電パネル５２で得られた電気を充電することで、充電した電気を利用してＬＥＤ光源１２を点灯することができる。
【００３５】
つぎに、照明器具５０に備えた第１，第２の透光性パネル１１，１８で太陽光３１を活用して室内２４を明るくする例を図５に基づいて説明する。
晴天時の日中においては、第２実施形態の照明器具１０と同様に、外界２３の太陽光３１が第１，第２の透光性パネル１１，１８を透過することで室内２４を明るくできる。
同時に、太陽光発電パネル５２で太陽光３１を受けて電気を発生させ、太陽光発電パネル５２で得られた電気を充電部５３に充電することができる。
【００３６】
ついで、照明器具５０のＬＥＤ光源１２を点灯して室内２４を明るくする例を図６に基づいて説明する。
夜間において、充電部５３に充電した電気を利用してＬＥＤ光源１２を点灯することができる。
ＬＥＤ光源１２から発光された光２６が配光レンズ１４で配光されて室内２４に投光される。
すなわち、夜間においては、充電部５３に充電した電気を利用してＬＥＤ光源１２を点灯して室内２４を明るくすることができる。
【００３７】
このように、第３実施形態の照明器具５０によれば、太陽光発電パネル５２で得られた電気を充電部５３に充電し、充電部５３に充電した電気を利用してＬＥＤ光源１２を点灯することで更なる省エネ化を図ることができる。
さらに、第３実施形態の照明器具５０によれば、第１実施形態と同様の効果を得ることができる。
【００３８】
なお、本発明に係る照明器具は、前述した第１実施形態〜第３実施形態に限定されるものではなく適宜変更、改良等が可能である。
例えば、第１実施形態〜第３実施形態では、第１，第２の透光性パネル１１，１８として板ガラスを例示したが、これに限らないで、樹脂等の他の建材を用いることも可能である。
【００３９】
また、前述した第１実施形態〜第３実施形態では、光源としてＬＥＤ光源１２を例示したが、これに限らないで、その他の光源を用いることも可能である。
【００４０】
さらに、前述した第１実施形態〜第３実施形態では、第１透光性パネル１１の他方の面を外面１１ａ、一方の面を内面１１ｂとした例について説明したが、これに限らないで、第１透光性パネル１１の他方の面を内面、一方の面を外面とすることも可能である。
【００４１】
また、前述した第１実施形態〜第３実施形態で使用した照明器具、第１透光性パネル、ＬＥＤ光源、配光レンズ、電源ユニット、配線パターン、第２透光性パネル、収容穴、制御手段、明るさセンサ、制御部、太陽光発電パネルおよび充電部等の形状や構成は例示したものに限定するものではなく適宜変更が可能である。
【符号の説明】
【００４２】
１０，４０，５０  照明器具
１１  第１透光性パネル
１１ａ  第１透光性パネルの外面（他方の面）
１１ｂ  第１透光性パネルの内面（一方の面）
１２  ＬＥＤ光源（光源）
１４  配光レンズ
１５  電源ユニット（電源）
１６  配線パターン
１８  第２透光性パネル
２１  収容穴
２６  光
４２  明るさ制御手段
４３  明るさセンサ
４４  制御部
５２  太陽光発電パネル
５３  充電部
【図１】
2012003974.tif 000003
【図２】
2012003974.tif 000004
【図３】
2012003974.tif 000005
【図４】
2012003974.tif 000006
【図５】
2012003974.tif 000007
【図６】
2012003974.tif 000008